【手続補正書】
【提出日】平成17年9月6日(2005.9.6)
【手続補正１】
【補正対象書類名】明細書
【補正対象項目名】特許請求の範囲
【補正方法】変更
【補正の内容】
【特許請求の範囲】
【請求項１】
リモートシステム（３０Ａ，３０Ｂ、または３０Ｃ）とデータを送受信する装置（１００）であって、
情報を識別する情報識別子を含む選択的コール信号を受信する選択的コールトランシーバ（２）であって、前記情報は、（イ）前記リモートシステムに格納され、（ロ）情報量に関わらず選択的コール信号には含まれず、（ハ）選択的コール信号の受信時に前記装置に格納されていない情報である選択的コールトランシーバ（２）と、
前記リモートシステムとの双方向通信セッションを確立するように構成されたプロセッサ（４，２７）であって、前記双方向通信セッションの実行中に、前記トランシーバを使用して（イ）前記情報を識別する識別子を前記リモートシステムに伝送し、（ロ）情報のダウンロード要求を前記リモートシステムに伝送し、また（ハ）情報を前記装置にダウンロードする構成であるプロセッサ（４，２７）と、
を含む装置。
【請求項２】
請求項１に記載の装置であって、
前記プロセッサは、前記情報が装置にダウンロードされた後、通信セッションを終了する構成である装置。
【請求項３】
請求項１に記載の装置であって、
前記情報は、オーディオ情報を含む装置。
【請求項４】
請求項３に記載の装置であって、
前記オーディオ情報は、音楽を含む装置。
【請求項５】
請求項１に記載の装置であって、
該装置は、移動体無線電話である装置。
【請求項６】
請求項１に記載の装置であって、
前記情報は、ビデオ情報を含む装置。
【請求項７】
請求項６に記載の装置であって、
前記情報は、更にオーディオ情報を含む装置。
【請求項８】
請求項１に記載の装置であって、
前記双方向通信セッションにおいて、前記プロセッサは、前記リモートシステムから受領確認を受信する装置。
【請求項９】
請求項１に記載の装置であって、
前記双方向通信セッションにおいて、前記プロセッサは、前記トランシーバを使用して前記リモートシステムに受領確認を送信する構成である装置。
【請求項１０】
請求項９に記載の装置であって、
前記受領確認は、前記情報が装置にダウンロードされた後に送信される装置。
【請求項１１】
請求項１に記載の装置であって、
前記情報に対して実行するアクションをユーザが選択できる構成であるユーザインタフェースを更に含む装置。
【請求項１２】
請求項１１に記載の装置であって、
前記情報に対して実行するアクションについてのユーザによる選択に応答して、前記プロセッサは、前記情報を識別する識別子と、ユーザによって選択されたアクションを識別する識別子とを含む要求メッセージを生成する構成である装置。
【請求項１３】
請求項１２に記載の装置であって、
前記プロセッサは、更に、前記トランシーバを使用して前記リモートシステムに前記要求メッセージを送信する構成である装置。
【請求項１４】
請求項１３に記載の装置であって、
前記プロセッサは、前記リモートシステムとのコールが進行中となるまで、前記トランシーバからの要求メッセージの送信を遅らせる構成である装置。
【請求項１５】
請求項１３に記載の装置であって、
前記プロセッサは、前記リモートシステムとのコールが開始されるべきであることを示すユーザからの入力を前記ユーザインタフェースが受信した後でのみ前記リモートシステムとのコールを開始する構成である装置。
【請求項１６】
請求項１２に記載の装置であって、
前記アクションは、前記リモートシステムから情報を消去するアクションと、指定された受領者に情報を送信するアクションと、情報をセーブするアクションと、情報に応答するアクションのうちのいずれかである装置。
【請求項１７】
請求項１に記載の装置であって、
前記選択的コール信号は、アドレス信号も含み、
前記アドレス信号は、前記装置にのみ関連づけられている装置。
【請求項１８】
リモートシステム（３０Ａ，３０Ｂ、または３０Ｃ）と、
前記リモートシステムとデータを送受信する装置（１００）と、を含む通信システム（２００）であって、前記装置は、
情報を識別する情報識別子を含む選択的コール信号を受信する選択的コールトランシーバ（２）であって、前記情報は、（イ）前記リモートシステムに格納され、（ロ）情報量に関わらず前記選択的コール信号には含まれず、（ハ）前記選択的コール信号の受信時に前記装置に格納されていない情報である選択的コールトランシーバ（２）と、
前記リモートシステムとの双方向通信セッションを確立するように構成されたプロセッサ（４，２７）であって、前記双方向通信セッションの実行中に、前記トランシーバを使用して（イ）前記情報を識別する識別子を前記リモートシステムに伝送し、（ロ）情報のダウンロード要求を前記リモートシステムに伝送し、また（ハ）情報を前記装置にダウンロードする構成であるプロセッサ（４，２７）と、を含む装置である通信システム。
【請求項１９】
請求項１８に記載の通信システムであって、
前記プロセッサは、前記情報が前記装置にダウンロードされた後、通信セッションを終了する構成である通信システム。
【請求項２０】
請求項１８に記載の通信システムであって、
前記情報は、オーディオ情報を含む通信システム。
【請求項２１】
請求項２０に記載の通信システムであって、
前記オーディオ情報は、音楽を含む通信システム。
【請求項２２】
請求項１８に記載の通信システムであって、
前記装置は、移動体無線電話である通信システム。
【請求項２３】
請求項１８に記載の通信システムであって、
前記情報は、ビデオ情報を含む通信システム。
【請求項２４】
請求項２３に記載の通信システムであって、
前記情報は、更にオーディオ情報を含む通信システム。
【請求項２５】
請求項１８に記載の通信システムであって、
前記双方向通信セッションにおいて、前記プロセッサは、前記リモートシステムから受領確認を受信する通信システム。
【請求項２６】
請求項１８に記載の通信システムであって、
前記双方向通信セッションにおいて、前記プロセッサは、前記トランシーバを使用して前記リモートシステムに受領確認を送信する構成である通信システム。
【請求項２７】
請求項２６に記載の通信システムであって、
前記受領確認は、前記情報が前記装置にダウンロードされた後に送信される通信システム。
【請求項２８】
請求項１８に記載の通信システムであって、
前記情報に対して実行するアクションをユーザが選択できる構成であるユーザインタフェースを更に含む通信システム。
【請求項２９】
請求項２８に記載の通信システムであって、
前記情報に対して実行するアクションについてのユーザによる選択に応答して、前記プロセッサは、前記情報を識別する識別子と、ユーザによって選択されたアクションを識別する識別子とを含む要求メッセージを生成する構成である通信システム。
【請求項３０】
請求項２９に記載の通信システムであって、
前記プロセッサは、更に、前記トランシーバを使用して前記リモートシステムに前記要求メッセージを送信する構成である通信システム。
【請求項３１】
請求項３０に記載の通信システムであって、
前記プロセッサは、前記リモートシステムとのコールが進行中となるまで、前記トランシーバからの要求メッセージの送信を遅らせる通信システム。
【請求項３２】
請求項３０に記載の通信システムであって、
前記プロセッサは、前記リモートシステムとのコールが開始されるべきであることを示すユーザからの入力を前記ユーザインタフェースが受信した後でのみ前記リモートシステムとのコールを開始する構成である通信システム。
【請求項３３】
請求項２９に記載の通信システムであって、
前記アクションは、前記リモートシステムから情報を消去するアクションと、指定された受領者に情報を送信するアクションと、情報をセーブするアクションと、情報に応答するアクションのうちのいずれかである通信システム。
【請求項３４】
請求項１８に記載の通信システムであって、
前記選択的コール信号は、アドレス信号も含み、
前記アドレス信号は、前記装置にのみ関連づけられている通信システム。
【請求項３５】
リモートシステムから情報を受信する方法であって、
装置（１００）において選択的コール信号を受信するステップであって、前記選択的コール信号は情報を識別する情報識別子を含み、前記情報は、（イ）前記リモートシステム（３０Ａ,３０Ｂ、または３０Ｃ）に格納され、（ロ）情報量に関わらず前記選択的コール信号には含まれず、（ハ）前記選択的コール信号の受信時に前記装置に格納されていない情報であるステップと、
前記選択的コール信号の受信後に、前記リモートシステムとの双方向通信セッションを開始するステップとを含み、更に、
前記双方向通信セッションの中で、
前記情報を識別する識別子を前記リモートシステムに送信し、
前記情報のダウンロード要求を前記リモートシステムに送信し、
前記情報を前記装置にダウンロードするステップを含む方法。
【請求項３６】
請求項３５に記載の方法であって、
更に、前記情報が前記装置にダウンロードされた後、前記通信セッションを終了するステップを含む方法。
【請求項３７】
請求項３５に記載の方法であって、
前記情報は、オーディオ情報を含む方法。
【請求項３８】
請求項３７に記載の方法であって、
前記オーディオ情報は、音楽を含む方法。
【請求項３９】
請求項３５に記載の方法であって、
前記装置は、移動体無線電話である方法。
【請求項４０】
請求項３５に記載の方法であって、
前記情報は、ビデオ情報を含む方法。
【請求項４１】
請求項４０に記載の方法であって、
前記情報は、更にオーディオ情報を含む方法。
【請求項４２】
請求項３５に記載の方法であって、
前記双方向通信セッションにおいて、前記装置は、前記リモートシステムから受領確認を受信する方法。
【請求項４３】
請求項３５に記載の方法であって、
前記双方向通信セッションの実行中に、前記装置から前記リモートシステムに受領確認を送信するステップを更に含む方法。
【請求項４４】
請求項４３に記載の方法であって、
前記受領確認は、前記情報が前記装置にダウンロードされた後に送信される方法。
【請求項４５】
請求項３５に記載の方法であって、
前記情報に対して実行するアクションを前記装置のユーザが選択できるステップを更に含む方法。
【請求項４６】
請求項４５に記載の方法であって、
前記情報に対して実行するアクションについてのユーザによる選択に応答して、前記情報を識別する識別子と、ユーザによって選択されたアクションを識別する識別子とを含む要求メッセージを生成するステップを更に含む方法。
【請求項４７】
請求項４６に記載の方法であって、
更に、前記装置から前記リモートシステムに前記要求メッセージを送信するステップを含む方法。
【請求項４８】
請求項４７に記載の方法であって、
前記リモートシステムとのコールが進行中となるまで、前記要求メッセージの送信を遅らせるステップを更に含む方法。
【請求項４９】
請求項４７に記載の方法であって、
前記リモートシステムとのコールが開始されるべきであることを示すユーザからの入力を前記ユーザインタフェースが受信した後でのみ前記リモートシステムとのコールを開始する方法。
【請求項５０】
請求項４６に記載の方法であって、
前記アクションは、前記リモートシステムから情報を消去するアクションと、指定された受領者に情報を送信するアクションと、情報をセーブするアクションと、情報に応答するアクションのうちのいずれかである方法。
【請求項５１】
請求項３５に記載の方法であって、
前記選択的コール信号は、アドレス信号も含み、
前記アドレス信号は、前記装置にのみ関連づけられている方法。